(57)【要約】【課題】取り付け容易な水栓を提供する。【解決手段】本発明の水栓は、湯が流入する湯流入口及び水が流入する水流入口が設けられた樹脂製の水栓本体部（２１）と、第１面側に設けられた湯路上流口及び第２面側に設けられた湯路下流口を有する湯路（８１）と、第１面側に設けられた水路上流口及び第２面側に設けられた水路下流口を有する水路（８２）と、を有し、且つ、第２面側に水栓本体部を取り付け、湯路下流口及び水路下流口を、水栓本体部の湯流入口及び水流入口にそれぞれ接続する流路ブロック（８０）と、を備え、流路ブロックの湯路及び水路のうち少なくとも一方は、屈曲して形成されており、流路ブロックの第１面側における湯路上流口（８１ａ）と水路上流口（８２ａ）との間の第１間隔（Ｂ１）は、流路ブロックの第２面側における湯路下流口（８１ｂ）と水路下流口（８２ｂ）との間の第２間隔（Ｂ２）と異なる。【選択図】図７
2019082077.tif 000002
【特許請求の範囲】
【請求項１】
湯が流入する湯流入口及び水が流入する水流入口が設けられた樹脂製の水栓本体部と、
第１面側に設けられた湯路上流口及び第２面側に設けられた湯路下流口を有する湯路と、前記第１面側に設けられた水路上流口及び前記第２面側に設けられた水路下流口を有する水路と、を有し、且つ、前記第２面側に前記水栓本体部を取り付け、前記湯路下流口及び前記水路下流口を、前記水栓本体部の前記湯流入口及び前記水流入口にそれぞれ接続する流路ブロックと、
を備え、
前記流路ブロックの前記湯路及び前記水路のうち少なくとも一方は、屈曲して形成されており、
前記流路ブロックの前記第１面側における前記湯路上流口と前記水路上流口との間の第１間隔は、前記流路ブロックの前記第２面側における前記湯路下流口と前記水路下流口との間の第２間隔と異なる、水栓。
【請求項２】
前記第２間隔は、前記第１間隔より小さい、請求項１に記載の水栓。
【請求項３】
前記水栓本体部は、湯と水とが混合された混合水が流出される混合水流出口を備え、
前記流路ブロックは、前記第２面側に設けられた混合水路上流口及び前記第１面側に設けられた混合水路下流口を有し、且つ、前記水栓本体部の前記混合水流出口に前記流路ブロックの前記混合水路上流口を接続する混合水路を備え、
前記流路ブロックの前記混合水路は、屈曲して形成されており、
前記流路ブロックの前記第１面側における前記湯路上流口、前記水路上流口、及び前記混合水路下流口の並びと、前記流路ブロックの前記第２面側における前記湯路下流口、前記水路下流口、及び前記混合水路上流口の並びとが異なる、
請求項１又は２に記載の水栓。
【請求項４】
前記流路ブロックの前記第１面側においては、一方側から他方側に向かって、前記湯路上流口、前記混合水路下流口、及び前記水路上流口の順に並んでおり、
前記流路ブロックの前記第２面側においては、一方側から他方側に向かって、前記湯路下流口、前記水路下流口、及び前記混合水路上流口の順に並んでいる、
請求項３に記載の水栓。
【請求項５】
前記流路ブロックの前記第１面側における前記湯路上流口と前記混合水路下流口との間の第３間隔は、前記流路ブロックの前記第２面側における前記湯路下流口と前記混合水路上流口との間の第４間隔より小さく、
前記第２間隔は、前記第４間隔より小さい、
請求項３又は４に記載の水栓。
【発明の詳細な説明】
【技術分野】
【０００１】
本発明は、水栓に関する。
【背景技術】
【０００２】
水栓として、例えば、湯と水とを混合して吐水する水栓が知られている（例えば、特許文献１参照。）
【０００３】
特許文献１の水栓では、金属管内に樹脂性の通水部を収容している。通水部は、湯及び水を混合する湯水混合弁と、シャワー及びカランからの吐水の切替を行う切替弁とを備えている。
【先行技術文献】
【特許文献】
【０００４】
【特許文献１】特開２００３−２６８８２５号公報
【発明の概要】
【発明が解決しようとする課題】
【０００５】
近年、取付け容易な水栓が求められている。
【０００６】
本発明は、前記課題を解決するもので、取付け容易な水栓を提供する。
【課題を解決するための手段】
【０００７】
本開示の一態様に係る水栓は、
湯が流入する湯流入口及び水が流入する水流入口が設けられた樹脂製の水栓本体部と、
第１面側に設けられた湯路上流口及び第２面側に設けられた湯路下流口を有する湯路と、前記第１面側に設けられた水路上流口及び前記第２面側に設けられた水路下流口を有する水路と、を有し、且つ、前記第２面側に前記水栓本体部を取り付け、前記湯路下流口及び前記水路下流口を、前記水栓本体部の前記湯流入口及び前記水流入口にそれぞれ接続する流路ブロックと、
を備え、
前記流路ブロックの前記湯路及び前記水路のうち少なくとも一方は、屈曲して形成されており、
前記流路ブロックの前記第１面側における前記湯路上流口と前記水路上流口との間の第１間隔は、前記流路ブロックの前記第２面側における前記湯路下流口と前記水路下流口との間の第２間隔と異なる。
【発明の効果】
【０００８】
以上のように、本発明の水栓によれば、取付けを容易に行うことができる。
【図面の簡単な説明】
【０００９】
【図１】図１は、樹脂製の水栓の外観を示す斜視図である。
【図２】図２は、図１の水栓ユニットの分解図である。
【図３】図３は、図２の水栓ユニットを更に分解して示す分解図である。
【図４】図４は、水栓ユニットの内部の概略構成を示す斜視図である。
【図５】図５は、本発明の実施の形態１に係る水栓の概略斜視図である。
【図６】図６は、図５の水栓の分解図である。
【図７】図７は、本発明の実施の形態１に係る水栓の概略断面図である。
【図８】図８は、図５の水栓をＡ−Ａ線で切断した概略断面図である。
【発明を実施するための形態】
【００１０】
（本発明に至った経緯）
湯供給口及び水供給口から供給される湯及び水を混合し、シャワー又はカランから吐水する水栓が知られている。例えば、特許文献１の水栓は、金属管内に収納された通水部の湯水混合弁によって湯と水とを混合し、切替弁によって混合水の吐水量及び吐水方向を制御している。
【００１１】
特許文献１の水栓では、湯供給口からの湯が流入する湯流入口（給油継ぎ手）と、水供給口からの水が流入する水流入口（給水継ぎ手）とが離れて金属管に設けられている。また、通水路において、混合された混合水が流出する混合水流出口が金属管に設けられている。特許文献１の水栓では、金属管の一方側から他方側に向かって、湯流入口、混合水流出口、及び水流入口が順に設けられている。
【００１２】
特許文献１の水栓では、流入した湯及び水は、通水部に形成された流路を通って湯水混合弁に供給される。湯水混合弁において混合された混合水は、通水部に形成された流路及び切替弁を通って混合水流出口から流出することによって、シャワー又はカランから吐水される。
【００１３】
このような水栓が取り付けられる取り付け面においては、金属管に設けられた湯流入口及び水流入口の位置に対応させて、湯供給口及び水供給口を設けていることが多い。
【００１４】
本発明者らは、製造コストの低減を実現すべく、樹脂により形成された水栓を開発している。
【００１５】
当該水栓において、水栓を樹脂により形成するため、水栓内に湯路及び水路等の流路を設けることが困難である。そのため、当該水栓においては、湯水混合弁が配置される一方側に湯流入口と水流入口とを接近させて設け、切替弁が配置される他方側に混合水流出口を設けた構成を採用している。
【００１６】
しかしながら、特許文献１の水栓のように、多くの水栓は、湯流入口と水流入口とが離れて設けられている。また、浴室の壁面等の取り付け面に設けられる湯供給口及び水供給口は、水栓の湯流入口と水流入口との位置にそれぞれ対応させるため、離れて設けられている。即ち、水栓の湯流入口と水流入口との間の間隔と、取り付け面の湯供給口と水供給口との間の間隔が等しくなっている。また、この間隔は、規格として統一されていることが多い。
【００１７】
かかる場合、従来の水栓に対応した取り付け面に対して本発明者らが発明した樹脂製の水栓を取り付ける場合、取り付け面の湯供給口と水供給口との間の間隔を小さくする必要がある。このため、当該樹脂製の水栓を取り付け面に容易に取り付けることができない。
【００１８】
本発明者らは、鋭意研究したところ、取り付け面の湯供給口及び水供給口と、水栓本体部の湯流入口及び水流入口とをそれぞれ接続する湯路及び水路を有する流路ブロックを用いて、樹脂製の水栓と取り付け面とを接続する構成を見出し、以下の発明に至った。
【００１９】
以下、実施形態について、添付の図面を参照しながら説明する。また、各図においては、説明を容易なものとするため、各要素を誇張して示している。
【００２０】
（実施の形態１）
本発明の実施の形態１に係る水栓を説明する前に、樹脂により形成された水栓の構成について説明する。
【００２１】
［樹脂製の水栓の構成］
図１は、本発明の実施の形態１に係る水栓１０の斜視図である。実施の形態１において、水栓１０は浴室の壁面に取り付けられるサーモスタット式水栓である。図１に示すように、水栓１０は、水栓ユニット２０と、ハンドルユニット５０とを備える。水栓ユニット２０は、吐水を行うためのユニットである。ハンドルユニット５０は、水栓ユニット２０に取り付けられ、水栓ユニット２０の吐水における吐水量、吐水方向、および湯水の混合度合いを変更可能にするユニットである。
【００２２】
＜水栓ユニット＞
図２は、図１の水栓ユニット２０の一部を分解した斜視図である。図３は、図２の水栓ユニット２０をさらに分解した斜視図である。図２及び図３に示すように、水栓ユニット２０は、水栓本体部２１と、保温材２２と、支持部材２３と、ステー２４と、本体カバー２５とを備える。
【００２３】
水栓本体部２１は、内部に水が通る流路を有する部材であって、水栓ユニット２０の本体部を構成する。水栓本体部２１は、保温材２２によって覆われている。保温材２２は、水栓本体部２１の内部の水が凍結することを防止するための部材である。保温材２２は、例えば、熱伝導率が０．０５Ｗ／ｍ・Ｋ以下のものが好ましい。保温材２２は、より好ましくは、熱伝導率が０．０３Ｗ／ｍ・Ｋ以下である支持部材２３は、水栓本体部２１とステー２４とを接続することにより水栓本体部２１を支持するための部材である。ステー２４は、水栓本体部２１を浴室の壁に固定するための部材である。本体カバー２５は、水栓本体部２１を覆う部材である。本体カバー２５は、天体カバー２５０と、基礎カバー２５１と、を備え、天体カバー２５０及び基礎カバー２５１は、例えば、ねじによって水栓本体部２１に取り付けられている。
【００２４】
＜水栓本体部＞
図４は、水栓本体部２１が保温材２２で覆われていないときの、水栓ユニット２０の内部の概略構成を示す斜視図である。図４に示すように、水栓本体部２１は、継手２６によって、湯供給源２７及び水供給源２８に接続される。湯供給源２７及び水供給源２８は、浴室の壁面の内側に設けられる供給管である。継手２６には、止水弁（図示せず）が取り付けられる。止水弁は、湯供給源２７及び水供給源２８からの湯水の供給を止めるための部材である。
【００２５】
図３に示すように、水栓本体部２１には、継手２６とは別の接続部材２９ａが取り付けられる。接続部材２９ａには、シャワーエルボ２９が取り付けられる。シャワーエルボ２９は、シャワーホースを接続するための部材である。
【００２６】
水栓本体部２１には、左側から湯水混合弁３０が取り付けられ、右側から切替弁３１が取り付けられる。湯水混合弁３０は、湯と水とを混合して湯水を吐水するための部材である。湯水混合弁３０は、一般的にサーモカートリッジとも呼ばれる。湯水混合弁３０に対して、湯は湯供給源２７（図４）から供給され、水は水供給源２８（図４）から供給される。切替弁３１は、湯水の吐水量及び吐水方向を変更するための部材である。水栓１０は、湯水混合弁３０及び切替弁３１を備えることで、サーモスタット式水栓と呼ばれる。
【００２７】
図４に示すように、湯水混合弁３０及び切替弁３１の軸方向外側の端部には、ハンドルユニット５０と係り合うギア部３２が設けられる。なお、湯水混合弁３０の軸方向外側の端部のギア部３２は、図４では省略する。
【００２８】
ハンドルユニット５０は、第１ハンドルユニット５０ａと、第２ハンドルユニット５０ｂとを有している。第１ハンドルユニット５０ａは、湯水混合弁３０と接続されており、混合水の温度、即ち、吐水の温度を調節する。第２ハンドルユニット５０ｂは、切替弁３１と接続されており、吐水方向及び吐水量を変更する。
【００２９】
水栓本体部２１は、主管部２１０と、湯供給用枝管部２１１と、水供給用枝管部２１２と、カラン吐水用枝管部２１３と、シャワー吐水用枝管部２１４とを備える。
【００３０】
これらの部材を備える水栓本体部２１は、樹脂により一体に形成される。すなわち、主管部２１０、湯供給用枝管部２１１、水供給用枝管部２１２、カラン吐水用枝管部２１３、及びシャワー吐水用枝管部２１４は、樹脂により一体に形成される。
【００３１】
＜主管部＞
主管部２１０は筒状に形成された管状の部材である。図３に示すように、主管部２１０には、湯水混合弁３０と切替弁３１とが軸方向（Ｙ方向）に並んで内部に嵌合して取り付けられている。主管部２１０の内壁は湯水混合弁３０と切替弁３１を内包する空間を形成し、軸方向に沿って延びている。金型を用いた樹脂成形のために、主管部２１０の内壁を、軸方向の中心側から端部側に向かって外側に僅かに広がるように傾斜させてもよい（例えば傾斜角度が０．２−０．５度）。主管部２１０の軸方向（Ｙ方向）の両端部には、湯水混合弁３０及び切替弁３１を挿入するための開口がそれぞれ形成されている。当該両端部には、ねじ溝が形成されており、キャップ部材３３の裏側に形成されたねじ山と螺合する。ねじ溝は、主管部２１０と、樹脂により一体に形成されている。
【００３２】
図３に示すように、主管部２１０において軸方向両端部には、ハンドルユニット５０及びカラー３４が、キャップ部材３３を覆うように取り付けられる。カラー３４は、ハンドルユニット５０と主管部２１０との間に配置される。
【００３３】
＜湯供給用枝部＞
図４に示すように、湯供給用枝管部２１１は、主管部２１０から分岐し、湯供給源２７に向かって延びるように形成された管状の部材である。湯供給用枝管部２１１の内部には、湯供給源２７からの湯を主管部２１０の内部に供給する流路が形成されている。
【００３４】
＜水供給用枝管部＞
水供給用枝管部２１２は、主管部２１０から分岐し、水供給源２８に向かって延びるように形成された管状の部材である。水供給用枝管部２１２は、水供給源２８からの水を主管部２１０の内部に供給する流路が形成されている。
【００３５】
湯供給用枝管部２１１及び水供給用枝管部２１２は、主管部２１０に対して軸方向（Ｙ方向）に並んで設けられる。即ち、湯供給用枝管部２１１と水供給用枝管部２１２とは、隣接して設けられている。具体的には、湯供給用枝管部２１１と水供給用枝管部２１２との間の間隔は、湯供給源２７と水供給源２８との間の間隔より小さい。
【００３６】
＜シャワー吐水用枝管部＞
シャワー吐水用枝管部２１４は、主管部２１０から分岐し、水栓１０が取り付けられる取り付け面に向かって延びるように形成された管状の部材である。シャワー吐水用枝管部２１４は、浴室の壁に向かって延在し、湯水を吐水する流路を内部に形成する。実施の形態１では、シャワー吐水用枝管部２１４は、シャワー吐水を行うための吐水管である。図４に示すように、シャワー吐水用枝管部２１４の壁側の端部には接続部材２９ａが取り付けられる。
【００３７】
本発明の実施の形態１に係る水栓について説明する。
【００３８】
図５は、本発明の実施の形態１に係る水栓１０Ａの概略斜視図である。図６は、図５の水栓１０Ａの分解図である。図５及び図６においては、説明を容易にするため、水栓１０Ａの構成要素を省略して図示している。
【００３９】
水栓１０Ａは、流路ブロック８０を備える点、及び水栓本体部２１が平板状部材９０によって流路ブロック８０に接続されている点を除いて、上述した樹脂製の水栓１０の構成と同様の構成を有する。
【００４０】
図５及び図６に示すように、水栓１０Ａは、樹脂製の水栓本体部２１と、水栓本体部２１に取り付けられる流路ブロック８０と、を備える。
【００４１】
＜流路ブロック＞
流路ブロック８０は、第１面ＰＳ１と、第１面ＰＳ１と対向する第２面ＰＳ２とを有する板状の部材である。流路ブロック８０は、例えば、樹脂、又は金属の材料で形成されている。第１面ＰＳ１は、浴室の壁面などの取り付け面に接続され、第２面ＰＳ２は水栓本体部２１に接続される。流路ブロック８０は、例えば、ねじによって、水栓本体部２１の平板状部材９０に取り付けられる。
【００４２】
流路ブロック８０は、湯が流れる湯路８１と、水が流れる水路８２と、湯及び水が混合された混合水が流れる混合水路８３と、を有する。
【００４３】
湯路８１は、流路ブロック８０の第１面ＰＳ１側に湯路上流口８１ａを有すると共に、第２面ＰＳ２側に湯路下流口８１ｂを有する。湯路上流口８１ａは、取り付け面に設けられた湯供給口に接続される。なお、本明細書において、湯供給口とは、湯供給源２７から湯が供給される開口を意味する。
【００４４】
また、湯路下流口８１ｂは、水栓本体部２１の湯供給用枝管部２１１の湯流入口２１０ａに接続される。水栓１０Ａにおいては、湯供給用枝管部２１１は、平板状部材９０に接続されており、湯流入口２１０ａは平板状部材９０に設けられている。
【００４５】
水路８２は、流路ブロック８０の第１面ＰＳ１側に水路上流口８２ａを有すると共に、第２面ＰＳ２側に水路下流口８２ｂを有する。水路上流口８２ａは、取り付け面に設けられた水供給口に接続される。なお、本明細書において、水供給口とは、水供給源２８から水が供給される開口を意味する。
【００４６】
また、水路下流口８２ｂは、水栓本体部２１の水供給用枝管部２１２の水流入口２１０ｂに接続される。水栓１０Ａにおいては、水供給用枝管部２１２は、平板状部材９０に接続されており、水流入口２１０ｂは平板状部材９０に設けられている。
【００４７】
混合水路８３は、流路ブロック８０の第２面ＰＳ２側に混合水路上流口８３ａを有すると共に、第１面ＰＳ１側に混合水路下流口８３ｂを有する。混合水路上流口８３ａは、水栓本体部２１のシャワー吐水用枝管部２１４の混合水流出口２１０ｃに接続される。水栓１０Ａにおいては、シャワー吐水用枝管部２１４は、平板状部材９０に接続されており、混合水流出口２１０ｃは平板状部材９０に設けられている。また、混合水路下流口８３ｂは、例えば、シャワーに接続される。
【００４８】
図７は、水栓１０Ａの概略断面図である。図８は、図５の水栓をＡ−Ａ線で切断した概略断面図である。図７及び図８に示すように、湯路８１は屈曲せずに湯路上流口８１ａから湯路下流口８１ｂに向かって真っ直ぐ延びている。一方、水路８２及び混合水路８３は屈曲して形成されている。
【００４９】
また、流路ブロック８０の第１面ＰＳ１側における湯路上流口８１ａ、水路上流口８２ａ、及び混合水路下流口８３ｂの並びは、流路ブロック８０の第２面ＰＳ２側における湯路下流口８１ｂ、水路下流口８２ｂ、及び混合水路上流口８３ａの並びと異なる。
【００５０】
具体的には、流路ブロック８０の第１面ＰＳ１側においては、一方側Ｄ１から他方側Ｄ２に向かって、湯路上流口８１ａ、混合水路下流口８３ｂ、及び水路上流口８２ａの順に並んでいる。一方、流路ブロック８０の第２面ＰＳ２側においては、一方側Ｄ１から他方側Ｄ２に向かって、湯路下流口８１ｂ、水路下流口８２ｂ、及び混合水路上流口８３ａの順に並んでいる。
【００５１】
また、流路ブロック８０の第１面ＰＳ１側における湯路上流口８１ａと水路上流口８２ａとの間の第１間隔Ｂ１は、流路ブロック８０の第２面ＰＳ２側における湯路下流口８１ｂと水路下流口８２ｂとの間の第２間隔Ｂ２と異なっている。
【００５２】
具体的には、第２間隔Ｂ２は、第１間隔Ｂ１より小さい。なお、第１間隔Ｂ１は、取り付け面に設けられた湯供給口と水供給口との間の間隔と等しい。また、第２間隔Ｂ２は、水栓本体部２１に設けられた湯流入口２１０ａと水流入口２１０ｂとの間の間隔と等しい。
【００５３】
実施の形態１では、水路８２を屈曲して形成することにより、流路ブロック８０の第１面ＰＳ１側において、他方側Ｄ２に水路上流口８２ａを設けると共に、第２面ＰＳ２側において、一方側Ｄ１で湯路下流口８１ｂに隣接する水路下流口８２ｂを設けることができる。
【００５４】
流路ブロック８０の第１面ＰＳ１側における湯路上流口８１ａと混合水路下流口８３ｂとの間の第３間隔Ｂ３は、流路ブロック８０の第２面ＰＳ２側における湯路下流口８１ｂと混合水路上流口８３ａとの間の第４間隔Ｂ４より小さい。また、第２間隔Ｂ２は、第４間隔Ｂ４より小さい。
【００５５】
実施の形態１では、混合水路８３を屈曲して形成することにより、流路ブロック８０の第２面ＰＳ２側において、他方側Ｄ２に混合水路上流口８３ａを設けると共に、第１面ＰＳ１側において、湯路上流口８１ａと水路上流口８２ａとの間に混合水路下流口８３ｂを設けることができる。
【００５６】
［効果］
実施の形態１に係る水栓１０Ａによれば、以下の効果を奏することができる。
【００５７】
水栓１０Ａは、樹脂製の水栓本体部２１と、水栓本体部２１に取り付けられると共に、湯路８１、水路８２及び混合水路８３を有する流路ブロック８０と、を備える。水栓１０Ａにおいては、流路ブロック８０内部において水路８２を屈曲して形成している。また、流路ブロック８０の第１面ＰＳ１における湯路上流口８１ａと水路上流口８２ａとの間の第１間隔Ｂ１は、流路ブロック８０の第２面ＰＳ２側における湯路下流口８１ｂと水路下流口８２ｂとの間の第２間隔Ｂ２と異なる。
【００５８】
これにより、流路ブロック８０の第１面ＰＳ１側において、従来の浴室等の取り付け面に設けられた湯供給口及び水供給口のそれぞれに対応する位置に湯路上流口８１ａ及び水路上流口８２ａを設けることができる。また、流路ブロック８０の第２面ＰＳ２側において、水栓本体部２１に設けられた湯流入口２１０ａ及び水流入口２１０ｂのそれぞれに対応する位置に湯路下流口８１ｂ及び水路下流口８２ｂを設けることができる。
【００５９】
例えば、流路ブロック８０の第１面ＰＳ１側における湯路上流口８１ａと水路上流口８２ａとの間の第１間隔Ｂ１は、取り付け面における湯供給口と水供給口との間の間隔に等しくすることができる。また、流路ブロック８０の第２面ＰＳ２側における湯路下流口８１ｂと水路下流口８２ｂとの間の第２間隔Ｂ２は、第１間隔Ｂ１より小さくすることができる。これにより、第２間隔Ｂ２を、水栓本体部２１の湯流入口２１０ａと水流入口２１０ｂとの間の間隔と等しくすることができる。
【００６０】
このような構成により、水栓１０Ａを取り付け面に容易に取り付けることができる。例えば、樹脂製の水栓本体部２１の湯流入口２１０ａ及び水流入口２１０ｂの位置と、取り付け面の湯供給口及び水供給口の位置とがそれぞれ異なっている場合に有益である。このような場合、水栓本体部２１と取り付け面とを流路ブロック８０を介して接続することによって、水栓本体部２１の湯流入口２１０ａ及び水流入口２１０ｂと、取り付け面の湯供給口及び水供給口とを容易に接続することができる。
【００６１】
また、流路ブロック８０は、水栓本体部２１と取り付け面との間に設けられる。これにより、水栓本体部２１と取り付け面との間のデッドスペースを有効活用することができる。
【００６２】
流路ブロック８０においては、混合水路８３を屈曲して形成している。流路ブロック８０の第１面ＰＳ１側における湯路上流口８１ａ、水路上流口８２ａ及び混合水路下流口８３ｂの並びは、流路ブロック８０の第２面ＰＳ２側における湯路下流口８１ｂ、水路下流口８２ｂ及び混合水路上流口８３ａの並びと異なる。
【００６３】
例えば、流路ブロック８０の第１面ＰＳ１側においては、一方側Ｄ１から他方側Ｄ２に向かって、湯路上流口８１ａ、混合水路下流口８３ｂ、及び水路上流口８２ａの順に並べることができる。また、第２面ＰＳ２側においては、一方側Ｄ１から他方側Ｄ２に向かって、湯路下流口８１ｂ、水路下流口８２ｂ、及び混合水路上流口８３ａの順に並べることができる。
【００６４】
更に、流路ブロック８０の第１面ＰＳ１側における湯路上流口８１ａと混合水路下流口８３ｂとの間の第３間隔Ｂ３は、流路ブロック８０の第２面ＰＳ２側における湯路下流口８１ｂと混合水路上流口８３ａとの間の第４間隔Ｂ４より小さくすることができる。また、第２間隔Ｂ２は、第４間隔Ｂ４より小さくすることができる。
【００６５】
このような構成により、水栓本体部２１の他方側Ｄ２に設けられた混合水路上流口８３ａから吐水された混合水が混合水路８３を通って、流路ブロック８０の第１面ＰＳ１側の湯路上流口８１ａと水路上流口８２ａとの間の混合水路下流口８３ｂから吐水される。即ち、混合水路下流口８３ｂを水栓１０Ａの中央寄りに設けることができる。その結果、水栓１０Ａの審美性が向上する。
【００６６】
なお、実施の形態１では、流路ブロック８０において、湯路８１を屈曲させず、水路８２及び混合水路８３を屈曲させる例について説明したが、これに限定されない。流路ブロック８０においては、湯路８１、水路８２及び混合水路８３のうち少なくとも一つを屈曲させて形成されていればよい。
【００６７】
流路ブロック８０は、湯路８１、水路８２及び混合水路８３を有する例について説明したが、これに限定されない。例えば、流路ブロック８０は、混合水路８３を有していなくてもよい。即ち、流路ブロック８０において、混合水路８３は必須の構成ではない。
【００６８】
本発明をある程度の詳細さをもって各実施形態において説明したが、これらの実施形態の開示内容は構成の細部において変化してしかるべきものである。また、実施形態における要素の組合せや順序の変化は、本開示の範囲及び思想を逸脱することなく実現し得るものである。
【産業上の利用可能性】
【００６９】
本発明は、浴室等の取り付け面に容易に取り付けることができる水栓として使用することができる。
【符号の説明】
【００７０】
１０  水栓
２０  水栓ユニット
２１  水栓本体部
２１０  主管部
２１０ａ  湯流入口
２１０ｂ  水流入口
２１０ｃ  混合水流出口
２１１  湯供給用枝管部
２１２  水供給用枝管部
２１３  カラン吐水用枝管部
２１４  シャワー吐水用枝管部
２２  保温材
２３  支持部材
２４  ステー
２５  本体カバー
２５０  天体カバー
２５１  基礎カバー
２６  継手
２７  湯供給源
２８  水供給源
２９  シャワーエルボ
２９ａ  接続部材
３０  湯水混合弁
３１  切替弁
３２  ギア部
３３  キャップ部材
３４  カラー
５０  ハンドルユニット
８０  流路ブロック
８１  湯路
８１ａ  湯路上流口
８１ｂ  湯路下流口
８２  水路
８２ａ  水路上流口
８２ｂ  水路下流口
８３  混合水路
８３ａ  混合水路上流口
８３ｂ  混合水路下流口
９０  平板状部材
ＰＳ１  第１面
ＰＳ２  第２面
Ｄ１  一方側
Ｄ２  他方側
【図１】
2019082077.tif 000003
【図２】
2019082077.tif 000004
【図３】
2019082077.tif 000005
【図４】
2019082077.tif 000006
【図５】
2019082077.tif 000007
【図６】
2019082077.tif 000008
【図７】
2019082077.tif 000009
【図８】
2019082077.tif 000010